(57)【要約】【課題】被写体の視認性に優れ、大型化を招かないファインダ装置を提供すること【解決手段】ファインダ装置は、接眼レンズ１０９のうちで最も観察側に配置された第３のレンズ１０９ｃと、第３のレンズへの入射光束を制限する開口Ｚ０を形成する突起Ｚを有する第１のレンズホルダ２００と、第１のレンズホルダと共にフランジ部Ｙを保持する接眼枠２１０を有する。第３のレンズは、フランジ部よりも観察側にある端面の傾斜角度を変更する変曲部Ｘと、変曲部の物体側に位置して観察側から物体側に向かう方向Ｈにおいて変曲部から光軸Ｌａから離れるように傾斜する第１の端面Ｑと、変曲部よりも観察側に位置して方向Ｈにおいて光軸から離れるように傾斜する第２の端面Ｒと、を更に有する。光軸を含む断面において、突起の光軸に最も近い端部Ｚ２は変曲部よりも光軸に近く、第２の端面Ｒを延長した延長線Ｕ０が突起と交差する位置Ｕ１よりも光軸に近い。【選択図】図１
2012088633.tif 000002
【特許請求の範囲】
【請求項１】
対物レンズを経た光束によって形成された光学像を、接眼レンズを有するファインダ光学系を介して観察可能にするファインダ装置であって、
結像作用を有する光学部の周囲に設けられた被保持部を有し、前記接眼レンズのうちで最も観察側に配置された最終レンズと、
前記最終レンズへの入射光束を制限する開口を形成する突起を有する第１のレンズ保持部材と、
前記第１のレンズ保持部材よりも前記観察側に配置され、前記第１のレンズ保持部材と共に前記最終レンズの被保持部を挟持する第２のレンズ保持部材と、
を有し、
前記最終レンズは、
前記被保持部よりも前記観察側にある端面の傾斜角度を変更する境界部と、
前記境界部と前記被保持部との間に位置し、前記観察側から物体側に向かう方向において前記境界部から前記ファインダ光学系の光軸から離れるように傾斜する第１の端面と、
前記境界部よりも前記観察側に位置し、前記方向において前記ファインダ光学系の光軸から離れるように傾斜する第２の端面と、
を更に有し、
前記光軸を含む断面において、前記第１のレンズ保持部材の前記突起の前記光軸に最も近い端部は前記境界部よりも前記光軸に近く、かつ、前記端部は前記第２の端面を延長した延長線が前記突起と交差する位置よりも前記光軸に近いことを特徴とするファインダ装置。
【請求項２】
前記被保持部は前記物体側に平面を有し、前記第１のレンズ保持部材は前記被保持部の平面と接合して位置決めされる平面を更に有することを特徴とする請求項１に記載のファインダ装置。
【請求項３】
前記被保持部は前記物体側に平面を有し、当該平面は凸部を有し、前記第１のレンズ保持部材は前記被保持部の前記凸部と接合して位置決めされる平面を更に有することを特徴とする請求項１に記載のファインダ装置。
【請求項４】
請求項１乃至３のうちいずれか一項に記載のファインダ装置を有することを特徴とする撮像装置。
【発明の詳細な説明】
【技術分野】
【０００１】
本発明は、ファインダ装置および撮像装置に関する。
【背景技術】
【０００２】
一眼レフカメラのファインダ光学系の光路に不要光が入射すると、不要光が接眼レンズやその保持部材に反射して撮影者の視野に入り、撮影者が被写体を観察する際の視認性が低下する。この問題を解決するために、特許文献１は遮光シート材、遮光性塗料、印刷等により、接眼レンズの周辺光束を遮光することを提案し、特許文献２は、接眼レンズ側のファインダ開口部の縁に突出部を設けることを提案している。
【先行技術文献】
【特許文献】
【０００３】
【特許文献１】特開２００２−８２３７０号公報
【特許文献２】特開平８−２２０５９７号公報
【発明の概要】
【発明が解決しようとする課題】
【０００４】
しかしながら、特許文献１及び２において提案された手段はいずれも新たな部品や工程を設けることになるため、コストアップやファインダ装置、ひいては撮像装置の大型化をもたらす。
【０００５】
そこで、本発明は、被写体の視認性に優れ、大型化を招かないファインダ装置および撮像装置を提供することを例示的な目的とする。
【課題を解決するための手段】
【０００６】
本発明のファインダ装置は、対物レンズを経た光束によって形成された光学像を、接眼レンズを有するファインダ光学系を介して観察可能にするファインダ装置であって、結像作用を有する光学部の周囲に設けられた被保持部を有し、前記接眼レンズのうちで最も観察側に配置された最終レンズと、前記最終レンズへの入射光束を制限する開口を形成する突起を有する第１のレンズ保持部材と、前記第１のレンズ保持部材よりも前記観察側に配置され、前記第１のレンズ保持部材と共に前記最終レンズの被保持部を挟持する第２のレンズ保持部材と、を有し、前記最終レンズは、前記被保持部よりも前記観察側にある端面の傾斜角度を変更する境界部と、前記境界部と前記被保持部との間に位置し、前記観察側から物体側に向かう方向において前記境界部から前記ファインダ光学系の光軸から離れるように傾斜する第１の端面と、前記境界部よりも前記観察側に位置し、前記方向において前記ファインダ光学系の光軸から離れるように傾斜する第２の端面と、を更に有し、前記光軸を含む断面において、前記第１のレンズ保持部材の前記突起の前記光軸に最も近い端部は前記境界部よりも前記光軸に近く、かつ、前記端部は前記第２の端面を延長した延長線が前記突起と交差する位置よりも前記光軸に近いことを特徴とする。
【発明の効果】
【０００７】
本発明によれば、被写体の視認性に優れ、大型化を招かないファインダ装置および撮像装置を提供することができる。
【図面の簡単な説明】
【０００８】
【図１】本実施形態のファインダ装置の部分断面図である。
【図２】本実施例の撮像装置の概略断面図である。
【図３】図２に示す撮像装置の別の状態の概略断面図である。
【図４】図２に示す撮像装置のファインダ装置の分解斜視図である。
【図５】図４に示すファインダ装置の断面図である。
【図６】図４に示すファインダ装置の効果を説明するための断面図である。
【発明を実施するための形態】
【０００９】
図２及び図３は、本実施形態の一眼レフデジタルカメラ（撮像装置）の概略断面図である。カメラは、カメラ本体１０１にレンズ装置１０２が着脱可能に構成されている。
【００１０】
図２は、光学ファインダ（ＯＶＦ）を使用して被写体を撮影者に観察可能にする状態を示しており、図２に示す状態を、以下、「ＯＶＦモード」と呼ぶ。図３は、カメラ本体１０１の背面に取り付けられたディスプレイユニット１０７に被写体の画像を逐次表示する電子ファインダ（ＥＶＦ）を使用して被写体を撮影者に観察可能にする状態を示しており、図３に示す状態を、以下、「ＥＶＦモード」と呼ぶ。
【００１１】
レンズ装置１０２内には、被写体像（光学像）を形成する撮影光学系１０３と露光量を調節する絞り１０４が設けられている。図２において、Ｌ１は撮影光学系１０３の光軸を表している。
【００１２】
カメラ本体１０１は、撮影光学系１０３が形成した光学像を光電変換する、ＣＣＤセンサあるいはＣＭＯＳセンサなどの撮像素子１０６を有し、画像信号を得る。撮像素子１０６はパッケージ１１０に収納されている。
【００１３】
撮像素子１０６からの画像信号は処理されて画像データとしてディスプレイユニット１０７上に表示される。また、撮像素子１０６によって撮影された画像信号は不図示の記録手段などに記録される。
【００１４】
１１１は可動型のハーフミラー（主ミラー）であり、撮影光学系１０３から入射する光束のうち一部を反射させ、残りを透過させる。 ハーフミラー１１１の背後（像面側）には可動型のサブミラー１２２が設けられ、ハーフミラー１１１を透過した光束を反射して不図示の焦点検出ユニットに導く。サブミラー１２２はハーフミラー１１１と連動して撮影光路に対して進退可能に構成されている。ハーフミラー１１１及びサブミラー１２２は、ＯＶＦモード時には図２に示すミラーダウン位置、ＥＶＦモード時には図３に示すミラーアップ位置に配置される。１１３は像面に入射する光量を調節するフォーカルプレンシャッタで、複数の遮光羽根で構成された先幕と後幕を有する。
【００１５】
光学ファインダはファインダ装置として構成されている。図２及び図３は、ファインダ装置が、フォーカシングスクリーン１０５、中空ペンタ１１２、光学ファインダ内情報表示ユニット１８０、接眼レンズ１０９を有するように簡略的に示しているが、実際には後述するようにより多くの構成要素を有する。
【００１６】
フォーカシングスクリーン１０５は、撮影光学系１０３によって形成される被写体像の予定結像面に配置されている。中空ペンタ１１２の内側にはミラーが蒸着されている。１８０は、フォーカシングスクリーン１０５上に特定の情報を表示させるための光学ファインダ内情報表示ユニットである。接眼レンズ１０９はフォーカシングスクリーン１０５上に形成された被写体像を観察するためのレンズ群である。
【００１７】
フォーカシングスクリーン１０５、中空ペンタ１１２および接眼レンズ１０９はファインダ光学系を構成する。図２において、Ｌａはファインダ光学系の光軸を表している。ファインダ装置は、撮影光学系（対物レンズ）１０３によって形成された像を接眼レンズ１０９を有するファインダ光学系によって撮影者に観察可能にする装置である。
【００１８】
不図示のレリーズボタンは２段階で押圧操作され、半押し操作（スイッチＳＷ１のＯＮ）で撮影準備動作（測光動作や焦点調節動作等）が開始される。更に、全押し操作（スイッチＳＷ２のＯＮ）で撮影動作（フォーカルプレンシャッタ１１３の走行と、撮像素子１０６の露光及び電荷信号の読み出し、及び電荷信号を処理して得られた画像データの記録媒体への記録）が開始される。
【００１９】
図２に示すＯＶＦモードでは、絞り１０４は開放状態であり、フォーカルプレンシャッタ１１３の先幕及び後幕はチャージされ、先幕は閉じた状態、後幕は開いた状態であり、撮像素子１０６は露光されない。撮影光学系１０３から入射した被写体像の光束は、ハーフミラー１１１で反射してファインダ光学系に導かれるとともに、ハーフミラー１１１を透過した光束はサブミラー１２２で反射して不図示の焦点検出ユニットに導かれる。従って、撮影者は接眼レンズ１０９を介して被写体像を観察することができるとともに、焦点検出ユニットで焦点検出を行わせることができる。
【００２０】
図３に示すＥＶＦモードでは、ハーフミラー１１１とサブミラー１２２は撮影光路から退避し、撮影光学系１０３からの光束が撮像素子１０６に導かれ、撮像素子１０６で連続的に被写体像を撮像し、ディスプレイユニット１０７に被写体像が逐次表示される。これにより、撮影者はディスプレイユニット１０７に表示された被写体像を確認しながら構図を決めることができる。
【００２１】
図４は、ファインダ装置のより詳細な分解斜視図である。図５は、ファインダ装置の縦断面図であり、図６は、ファインダ装置の横断面図である。
【００２２】
２００は接眼レンズ１０９を保持する第１のレンズホルダ（第１のレンズ保持部材）、２０１はフォーカシングスクリーン１０５の位置を調節するピントワッシャ、２０２はフォーカシングスクリーン１０５を第１のレンズホルダ２００に保持するバネ部材である。２０３は視野枠であり、ファインダ光学系に入射する光束の視野サイズを制限している。２０４はミラーで、中空ペンタ１１２とともに像反転を行い、視野枠２０３を透過した被写体像を撮影者の眼球方向に折り曲げ正立像にしている。２０５は中空ペンタ１１２を第１のレンズホルダ２００に固定保持するためのバネ部材である。
【００２３】
接眼レンズ１０９は、複数のレンズ群から構成されている。本実施例では、接眼レンズ１０９は、図４〜図６に示すように、ファインダ光学系の光軸Ｌａに沿って物体側から観察側に順に第１のレンズ（平凹レンズ）１０９ａ、第２のレンズ（両凸レンズ）１０９ｂ、第３のレンズ（凸凹レンズ）１０９ｃを有する。なお、接眼レンズ１０９は更に別のレンズを有してもよく、また、各レンズの形状はこれらに限定されるものではない。
【００２４】
第１のレンズ１０９ａは第１のレンズホルダ２００に接着固定されている。
【００２５】
第２のレンズ１０９ｂは第２のレンズホルダ２０８に接着固定され、第２のレンズホルダ２０８は第１のレンズホルダ２００内に収納され、第１のレンズホルダ２００に対して移動可能に構成されている。
【００２６】
具体的には、第２のレンズホルダ２０８は、軸２０６と嵌合するための穴と第２のレンズ１０９ｂを観察側に付勢するバネ２０７を案内する不図示の軸を有する。軸２０６が第１のレンズホルダ２００に設けられた嵌合穴と第２のレンズホルダ２０８の嵌合穴に嵌合するので、第２のレンズホルダ２０８はファインダ光軸方向に摺動可能に構成されている。ギアとカム２０９を介して第２のレンズ１０９ｂがファインダ光軸方向に移動することによって任意の位置へ視度（ファインダー視度）を調整することができる。なお、第２レンズ１０９ｂのファインダ光軸方向の移動機構は限定されない。
【００２７】
第３のレンズ１０９ｃは第１のレンズホルダ２００に接着固定されている。第３のレンズ１０９ｃは接眼レンズのうちで最も観察側に配置されている最終レンズである。第３のレンズ１０９ｃは、接眼枠２１０と第１のレンズホルダ２００に挟持されている部分（後述するフランジ部Ｙ）を有する。接眼枠２１０は第１のレンズホルダ２００よりも観察側に配置されている第３のレンズ保持部材として機能する。
【００２８】
接眼枠２１０は、図６に示すように、凹部Ａを有し、ここには不図示の外装部品が挿入される第２のレンズ保持部材である。この外装部品を囲うように接眼枠２１０を形成することで防塵防滴の効果を図っている。
【００２９】
アイカップ２１１は光軸方向に凸部２１１ａ、２１１ｂを持ち、接眼枠２１０に設けられたレール溝２１０ａ、２１０ｂに凸部２１１ａ、２１１ｂを挿入することによって装着され、撮影者の使用感を向上させる。
【００３０】
図１は、ファインダ光学系の光軸Ｌａを含む断面における、第３のレンズ１０９ｃと第１のレンズホルダ２００、接眼枠２１０の詳細形状を示す部分断面図である。
【００３１】
第３のレンズ１０９ｃは、撮影光学系１０３からの光束が入射する入射面Ｆ１、撮影光学系１０３からの光束が射出する射出面Ｆ２を有する。入射面Ｆ１と射出面Ｆ２は、第３のレンズ１０９ｃの結像作用を有する光学部の表裏面を構成する。
【００３２】
また、第３のレンズ１０９ｃは、フランジ部Ｙ、第１の端面Ｑ、第２の端面Ｒを有する。また、接眼枠２１０は第１の端面Ｑ及び第２の端面Ｒにそれぞれ接触する２つの端面を有する。
【００３３】
フランジ部Ｙは、第１のレンズホルダ２００に位置決め及び接合される平面である第１の面Ｙ１と、接眼枠２１０に対向して保持される第２の面Ｙ２と、を有する被保持部である。フランジ部Ｙは、第３のレンズ１０９ｃの光学部の周囲に設けられて光学部から径方向の外側に突出し、略矩形の断面形状を有する。フランジ部Ｙによって、第３のレンズ１０９ｃの第１のレンズホルダ２００と接眼枠２１０による保持と接着が容易になる。
【００３４】
第１の端面Ｑは、第２の端面Ｒの物体側に配置され、観察側から物体側に向かう方向Ｈにおいて変曲部Ｘからファインダ光学系の光軸Ｌａから離れるように光軸Ｌａに対して第１の傾斜角度θ１で傾斜している。第２の端面Ｒは、観察側から物体側に向かう方向Ｈにおいてファインダ光学系の光軸Ｌａから離れるように光軸Ｌａに対して第２の傾斜角度θ２で傾斜している。θ１はθ２よりも大きい（θ１＞θ２＞０）。第１の端面Ｑと第２の端面Ｒはそれぞれ中心角が異なる円錐面の一部を構成する。
【００３５】
このように、変曲部Ｘはフランジ部Ｙよりも観察側にある第３のレンズ１０９ｃの端面の傾斜角度を変更する。変曲部Ｘより物体側（変曲部Ｘとフランジ部Ｙとの間）には第１の端面Ｑが位置し、変曲部Ｘより観察側には第２の端面Ｒが位置する。変曲部Ｘは第３のレンズ１０９ｃの周方向に延びており、第１の端面Ｑと第２の端面Ｒの境界部（境界線）を形成する。
【００３６】
第１のレンズホルダ２００は、第３のレンズ１０９ｃへの入射光束を制限する開口Ｚ０を形成する突起Ｚを有する。突起Ｚは第３のレンズ１０９ｃよりも物体側に配置される。
【００３７】
観察側の面Ｚ１は、第３のレンズ１０９ｃのフランジ部Ｙの第１の面Ｙ１が接合されて位置決めされる平面Ｚ１１と、第３のレンズ１０９ｃの入射面Ｆ１の上に部分的に張り出した傾斜面Ｚ１２と、を有する。
【００３８】
従来は、第３のレンズ１０９ｃは接眼枠２１０に接合されて接眼枠２１０が第１のレンズホルダ２００に対して位置決めされていた。しかし、他の接眼レンズ１０９である第１のレンズ１０９ａと第２のレンズ１０９ｂはいずれも第１のレンズホルダ２００に搭載されて位置決めされているので、第３のレンズ１０９ｃも第１のレンズホルダ２００に対して位置決めされる方が収差補正上好ましい。そこで、本実施例では、第３のレンズ１０９ｃを接眼枠２１０ではなく第１のレンズホルダ２００に対して接合及び位置決めするように構成している。この場合、第１の面Ｙ１と平面Ｚ１１とは平行となる。
【００３９】
また、第１の面Ｙ１に不図示の半球状の凸部を形成し、平面Ｚ１１に接合及び位置決めするように構成してもよい。半球状の凸部は第３のレンズ１０９ｃを成形するための型を補正するのに使用される。型の修正を一部に限定すれば精度の維持や加工が容易になる。凸部の数も限定されない。
【００４０】
図６は、第２のレンズ１０９ｂが視度−１．０デオプトリー位置でのファインダ左右方向（長辺方向）の光束を示しており、右半分は本実施形態の図１で説明したレンズ形状、左半分は変曲部Ｘがないレンズ形状を示している。Ｅは観察者のアイポイント（眼球位置）、Ｂはファインダ有効光束、Ｃは変曲部Ｘがないレンズの逆入射光線、Ｄは本実施形態の逆入射光線を示している。
【００４１】
変曲部Ｘはフランジ部Ｙよりも観察側に配置され、第３のレンズ１０９ｃのフランジ部Ｙよりも観察側にある端面（側面）を２つの異なる傾斜角度を有する端面に分割している。このため、例えば、図６左図におけるフランジ部Ｙの観察側の面と第３のレンズ１０９ｃの端面とが交わる部分Ｐは変曲部Ｘとなり得ない。
【００４２】
本実施形態では、突起Ｚの光軸Ｌａに最も近い端部Ｚ２は、図１において、変曲部Ｘよりも光軸Ｌａに近い（即ち、端部Ｚ２と光軸Ｌａとの最短距離は変曲部Ｘと光軸Ｌａの最短距離よりも短い）。更に、本実施形態では、端部Ｚ２は、第２の端面Ｒを被写体側に延長した延長線Ｕ０が突起Ｚと交差する位置Ｕ１よりも光軸Ｌａに近い（即ち、端部Ｚ２と光軸Ｌａとの最短距離は位置Ｕ１と光軸Ｌａの最短距離よりも短い）。
【００４３】
第１の端面Ｑは接眼枠２１０の開口から入射するあらゆる光線Ｓが第１の端面Ｑに反射しても、逆入射光として撮影者の視野に到達する光を発生しない傾斜角度で、かつ接眼枠２１０の凹部Ａの形状は成形可能な肉厚Ｔを確保した角度に設定されている。第２の端面Ｒは接眼枠２１０の開口から入射するあらゆる光線Ｓが第２の端面Ｒに反射しても逆入射光として撮影者の視野に到達する光を発生しない角度に設定されている。また、第１の端面Ｑは第２の端面Ｒから光軸Ｌａから離れるように延びている。
【００４４】
図６は、本実施例のレンズ形状を変曲部Ｘの無いレンズ形状と比較した効果について示している。
【００４５】
変曲部Ｘがないレンズ形状の場合には、入射した光線が第３のレンズ１０９ｃの左右側面に反射し第２のレンズ１０９ｂの観察側の射出面Ｍで反射し、第３のレンズ１０９ｃを透過して撮影者の視野に入る逆入射光線Ｃが存在し、被写体像の視認性が低下する。
【００４６】
一方、本実施例のレンズ形状の場合には、逆入射光線Ｄが第３のレンズ１０９ｃの左右側面に反射するが、面Ｚ１で光線が遮光され、撮影者の視野に逆入射光線Ｄが到達することはない。この結果、被写体像の視認性が向上する。なお、逆入射光線Ｃ、Ｄ、は１方向１光束のみで説明しているが上下左右４方向全てに発生する光である。
【００４７】
このように、本実施例では変曲部Ｘを設けることによって接眼レンズ１０９のゴーストを防止している。図６左図に示すレンズ形状においてゴーストをなくそうとすれば、例えば、図６の点線Ｋで示すように、第３のレンズの端面が光軸Ｌａからより離れるようにその傾斜角度を大きくすることが考えられる。しかしながら、これでは、第３のレンズが大型になり、ファインダ装置、ひいては撮像装置が大型化してしまう。
【００４８】
そこで、本実施形態では、変曲部Ｘを設けることによって第１の端面Ｑを形成する最小限の拡大でゴーストを防止している。また、本実施形態では第３のレンズ１０９ｃの端面と対応する接眼枠２１０の端面の形状を調整するだけであり、新たな部品や印刷などの工程を追加しないので、コストアップを防止することができる。また、各種アクセサリの装着を妨げない。
【００４９】
以上、本発明の好ましい実施例について説明したが、本発明はこれらの実施例に限定されず、その要旨の範囲内で種々の変形及び変更が可能である。
【産業上の利用可能性】
【００５０】
本実施例のファインダ装置は撮像装置に適用することができ、撮像装置は被写体を撮像する用途に適用することができる。
【符号の説明】
【００５１】
１０９            接眼レンズ
１０９ｃ          第３のレンズ（最終レンズ）
２００            第１のレンズホルダ（第１のレンズ保持部材）
２１０            接眼枠（第２のレンズ保持部材）
Ｑ                第１の端面
Ｒ                第２の端面
Ｌａ              光軸
Ｚ                突起
Ｚ０              開口
Ｚ１              面
Ｚ２              端部
Ｕ０              延長線
Ｕ１              位置
Ｘ                変曲部（境界部）
Ｙ                フランジ部（被保持部）
【図１】
2012088633.tif 000003
【図２】
2012088633.tif 000004
【図３】
2012088633.tif 000005
【図４】
2012088633.tif 000006
【図５】
2012088633.tif 000007
【図６】
2012088633.tif 000008